(57)【要約】      （修正有）【課題】電気・計装試験、保温工事、塗装工事等の施工を同調させ、工事および試験等の施工を円滑に行えるようにする。【解決手段】蒸気タービンプラントの配管工事工程作成に際し、配管水圧試験対象範囲を複数の配管系統に分割するように定めるとともに、この分割した配管系統毎にそれぞれ配管工事、水圧試験および保温・塗装工事を順次施工するように定め、さらに分割された配管系統相互間の施工工程に関して優先順位を予め定めておき、蒸気タービンプラント機器の据付完了後、配管の吊り込みおよび足場の組立を順次行い、その後前記配管工事工程で定めた優先順位に従って１番目の配管系統から配管工事を施工し、この１番目の配管工事が終了した後に１番目の配管系統の水圧試験を行い、かつ２番目の配管系統の配管工事、水圧試験を行い、かつ３番目以後同様にそれぞれ前記水圧試験の施工後、保温・塗装工事を施工する。【選択図】図１
2005127183.tif 000002
【特許請求の範囲】
【請求項１】
蒸気タービンプラントに使用される各種流体を通すための配管に関する配管工事工程作成に際し、予定した配管水圧試験対象範囲に応じて配管を複数の配管系統に分割するように定め、この各配管系統毎にそれぞれ配管工事、水圧試験および保温・塗装工事を順次施工するように定め、さらに配管系統相互間の施工に関する優先順位を定め、
蒸気タービンプラント機器の据付完了後、配管の吊り込みおよび足場の組立を順次行い、その後配管系統相互間で定めた優先順位に従って第１の配管系統から配管工事を行い、この第１の配管工事が終了した後、第２の配管系統の足場組立が完了していることを条件として第２の配管系統の配管工事を行うとともに、前記第１の配管系統の水圧試験を行い、第２の配管系統の配管工事が終了した後、第３の配管系統の足場組立が完了していることを条件として第３の配管系統の配管工事を行うとともに、前記第２の配管系統の水圧試験を行い、以下同様にして最終の配管系統の配管工事が終了した後、当該最終の配管系統の水圧試験を行い、
各配管系統とも、それぞれ前記水圧試験を行った後に、保温・塗装工事を行い、最後に足場を解体するようにしたことを特徴とする蒸気タービンプラントの配管施工法。
【請求項２】
前記配管水圧試験対象範囲は、配管内を流れる流体の種類、圧力または温度によって複数の配管系統に分割されていることを特徴とする請求項１記載の発電プラントの蒸気タービン配管施工法。
【請求項３】
前記配管水圧試験対象範囲は、複数の配管系統に分割する代わりに複数の配管エリアに分割されていることを特徴とする請求項１記載の発電プラントの蒸気タービン配管施工法。
【請求項４】
前記配管エリアは脱気器およびヒータエリアと、その他のエリアに分割されていることを特徴とする請求項３記載の発電プラントの蒸気タービン配管施工法。
【発明の詳細な説明】
【技術分野】
【０００１】
本発明は蒸気タービンプラントにおける蒸気、ガス、空気、液体などの流体を通すための配管の施工法に係り、特に各種の工事および試験等を円滑に施工することのできる蒸気タービンプラントの配管施工法に関する。
【背景技術】
【０００２】
図３は蒸気タービン配管水圧試験に係る従来工法のプロセスマップである。  
図３において、蒸気タービンプラント機器の据付が終了（ＳＴ３−１）すると、次に配管の吊り込み作業を行う（ＳＴ３−２）。この配管吊り込み作業の際、架台を足場として使える個所については同時期に架台の据付も行う。
【０００３】
次に、配管を繋ぐための足場組立（ＳＴ３−３）、その後配管合せ、予熱、溶接、焼鈍の順に配管工事を行う（ＳＴ３−４）。この配管工事としては、配管内を流れる流体の種類、温度または圧力等によって、低圧ヒータ系統（抽気管）、復水系統、高圧給水系統、低圧給水系統、軸受冷却系統、ボイラ補給水系統の配管工事がある。
【０００４】
そして、このような配管工事が全て終了した後、溶接検査の最終検査として圧力降下、漏れおよび変形の有無を確認するために、低圧ヒータ系統（抽気管）、復水系統、高圧給水系統、低圧給水系統、軸受冷却系統およびボイラ補給水系統について一括してプラント水圧試験（配管耐圧試験）を行う（ＳＴ３−５）。このときの試験圧力は最高使用圧力の１．５倍で行われ、これらの方法は電気事業法などにより定められている。
【０００５】
この一括でのプラント水圧試験が終了した後、電気・計装試験（ＳＴ３−６）を行い、続いて保温工事、塗装工事（ＳＴ３−７）の順に施工し、各工事を終了したエリアから順次足場を解体していく（ＳＴ３−８）ようにしていた。
【発明の開示】
【発明が解決しようとする課題】
【０００６】
ところで、近年、発電所建設工事において規制が緩和されて以来、従来の官庁立会検査に替わって自主検査が行われるようになってきた。この影響で、タービン主機据付の中間検査も官庁立会検査から自主検査へと替わり、従来クリチカル工程であったタービン主機据付工程が短縮されて、クリチカル工程ではなくなった。  
その反面、自動化の進歩により配管に直接取り付ける熱電対等の電気品・計装品は年々増加しており、配管工程がタービン主機据付工程に替わってクリチカル工程となってきた。
【０００７】
しかし、これまでの配管施工の工程では、配管工事と電気・計装試験、保温工事、塗装工事等の施工が同調しない部分が発生し、一時的に工数山積みが高くなり、その結果として作業員の確保もしくは作業員の高負荷という問題が新たに発生するようになってきた。
【０００８】
本発明は上述した事情に鑑みてなされたもので、配管工事、水圧試験の下流側で行われる電気・計装試験、保温工事、塗装工事等にしわ寄せの影響がでないようにした蒸気タービンプラントの配管施工法を提供することを目的とする。
【課題を解決するための手段】
【０００９】
上述した課題を解決するため、請求項１に係る蒸気タービンプラントの配管施工法の発明は、蒸気タービンプラントに使用される各種流体を通すための配管に関する配管工事工程作成に際し、予定した配管水圧試験対象範囲に応じて配管を複数の配管系統に分割するように定め、この各配管系統毎にそれぞれ配管工事、水圧試験および保温・塗装工事を順次施工するように定め、さらに配管系統相互間の施工に関する優先順位を定め、蒸気タービンプラント機器の据付完了後、配管の吊り込みおよび足場の組立を順次行い、その後配管系統相互間で定めた優先順位に従って第１の配管系統から配管工事を行い、この第１の配管工事が終了した後、第２の配管系統の足場組立が完了していることを条件として第２の配管系統の配管工事を行うとともに、前記第１の配管系統の水圧試験を行い、第２の配管系統の配管工事が終了した後、第３の配管系統の足場組立が完了していることを条件として第３の配管系統の配管工事を行うとともに、前記第２の配管系統の水圧試験を行い、以下同様にして最終の配管系統の配管工事が終了した後、最終の配管系統の水圧試験を行い、各配管系統とも、それぞれ前記水圧試験を行った後に、保温・塗装工事を行い、当該最後に足場を解体するようにしたことを特徴とする。
【発明の効果】
【００１０】
本発明によれば、予定したタービン配管水圧試験対象範囲に応じて配管を複数の配管系統あるいはエリアに分割するように定め、それぞれの配管系統別あるいはエリア別にタービン配管工事、配管水圧試験を施工するようにしたので、配管系統別あるいはエリア別タービン配管水圧試験終了後にそれぞれ次に予定されている作業に移行することができ、下流側の工程である電気・計装試験、保温工事、塗装工事へのしわ寄せを少なくすることができる。この結果、作業員および試験員の確保もしくは高負荷という問題を解決することができ、併せて工程短縮を図ることができる。
【発明を実施するための最良の形態】
【００１１】
以下、本発明の実施例について図面を参照して説明する。
【実施例１】
【００１２】
図１は実施例１に係る蒸気タービンプラントの配管施工法のプロセスマップである。  
本実施例では、はじめに配管工事工程を作成する（ＳＴ１−１）。この例では配管工事工程の作成に際し、予定している４つの系統の配管水圧試験対象範囲（例えば(1)；低圧ヒータ系統（抽気管）、(2)；復水系統、(3)；高圧給水系統、(4)；低圧給水系統、軸受冷却系統およびボイラ補給水系統）に対応して配管も４つの系統に分割する。なお、便宜上、(1)を第１の配管系統、(2)を第２の配管系統、(3)を第３の配管系統、(4)を第４の配管系統と呼ぶ。
【００１３】
配管工事工程は、各系統毎に主に以下の事項を考慮して作成する。  
（ａ）複数の系統のうち、どの系統から先に活かす必要があるのか。また、系統毎にいつまでに終わらせる必要があるのか。  
（ｂ）電気・計装試験期間の確保。  
（ｃ）保温工事期間の確保。  
（ｄ）塗装工事期間の確保。  など
【００１４】
配管工事工程を作成した後、蒸気タービンプラント機器の据付作業を行い、その作業が終了した後（ＳＴ１−２）、配管の吊り込みを行う。その際、架台を足場として使える個所については配管吊り込みと架台の据付を同時期に行う（ＳＴ１−３）。
【００１５】
次に、系統別に配管を繋ぐための足場の組立（ＳＴ１−４）、その後前述した系統別に配管工事を行う（ＳＴ１−５）。この系統別配管工事の優先順位は、前記配管工事工程の作成に際して、第１の配管系統の配管工事ＳＴ１−５１、第２の配管系統の配管工事ＳＴ１−５２、第３の配管系統の配管工事ＳＴ１−５３そして第４の配管系統の配管工事ＳＴ１−５４の順序で行うことが定めてあるので、その順序に従って行う。
【００１６】
先ず第１の配管系統の配管工事について配管合せ、予熱、溶接、焼鈍の順に作業を行う（ＳＴ１−５１）。この第１の配管系統の配管工事が終了した後、第２の配管系統の足場組立が完了していることを条件として第２の配管系統の配管工事（ＳＴ１−５２）を行う。そして第１の配管系統では配管耐圧試験（ＳＴ１−６１）を行う。  
この配管耐圧試験とは、背景技術欄で説明した溶接検査の最終検査として圧力降下、漏れ、変形が無いかどうかを確認するための加圧試験のことである。
【００１７】
そして、第２の配管系統の配管工事（ＳＴ１−５２）が終了した後、第３の配管系統の足場組立が完了していることを条件として第３の配管系統の配管工事（ＳＴ１−５３）を行う。そして第２の配管系統では配管耐圧試験（ＳＴ１−６２）を行う。
【００１８】
以下同様にして、第３の配管系統の配管工事（ＳＴ１−５３）が終了した後、第４の配管系統の足場組立が完了していることを条件として第４の配管系統の配管工事を行い（ＳＴ１−５４）、第３の配管系統の配管耐圧試験（ＳＴ１−６３）を行う。  
そして、第４の配管系統の配管工事が終了した後、第４の配管系統の配管耐圧試験（ＳＴ１−６４）を行う。
【００１９】
このように、各配管系統とも配管工事が終了した後に引き続き配管耐圧試験を行う。この水圧試験は、配管工事が終了した系統から順次行うため、従来のように一括して行われることはない。
【００２０】
そして、各系統とも、配管耐圧試験が終了した後は、それぞれ電気・計装試験（ＳＴ１−７１、ＳＴ１−７２、ＳＴ１−７３、ＳＴ１−７４）、保温工事および塗装工事（ＳＴ１−８１、ＳＴ１−８２、ＳＴ１−８３、ＳＴ１−８４）を行い、塗装工事完了後は足場解体（ＳＴ１−９１、ＳＴ１−９２、ＳＴ１−９３、ＳＴ１−９４）を行う。
【００２１】
以上述べたように、本実施例によれば、蒸気タービンプラントに使用される各種流体を通すための配管を、タービン配管水圧試験範囲に基づいて複数の配管系統に分割し、この分割した配管系統毎にそれぞれ配管工事、水圧試験および保温・塗装工事を順次施工するようにしたので、任意の系統の上流工程で作業に遅れが生じたとしても、その遅れが従来のように全系統の下流工程へのしわ寄せとなることを少なくすることができる。
【００２２】
この結果、従来のように一時的に工数山積みが高くなったことに起因する作業員および試験員の確保もしくは高負荷という問題を解決することができ、分割にすることにより全ての系統の水圧試験終了を待つ必要が無いので工程短縮を図ることができる。
【実施例２】
【００２３】
図２は実施例２に係る蒸気タービンプラントの配管施工法のプロセスマップである。本実施例は、蒸気タービンプラントに使用される各種流体を通すための配管のタービン配管水圧試験対象範囲を、実施例１のように複数の配管系統に分割する代わりに、エリア毎に分割するようにしたものである。
【００２４】
図２においても、図１と同様にして、はじめにエリア別配管工事工程を作成する（ＳＴ２−１）。この実施例では(1)；脱気器およびヒータエリアと、(2)；その他のエリアに２分割しているが、分割箇所を変更することによって状況に応じてフレキシブルにエリア分けするようにしてもよい。なお、この実施例では、便宜上、 (1)を第１エリア、(2)を第２エリアと呼び、第１エリアを第２エリアに優先して工事、試験等の作業を行うように定める。
【００２５】
工事工程の作成後は図１と同様にして蒸気タービンプラント機器の据付作業を行い、その作業が終了した後（ＳＴ２−２）、配管の吊り込みを行う。その際、架台を足場として使える個所については配管吊り込みと架台の据付を同時期に行う（ＳＴ２−３）。
【００２６】
次に、エリア別に配管を繋ぐための足場組立（ＳＴ２−４）、その後予め分割したエリア別に配管工事を行う。このエリア別配管工事の優先順位は、前述した工事工程の作成に際して、第１エリア配管工事（ＳＴ２−５１）、第２エリア配管工事（ＳＴ２−５２）の順序で行うことが定めてあるので、その順序に従って行う。
【００２７】
先ず第１エリア配管工事で配管合せ、予熱、溶接、焼鈍の順に作業を行う（ＳＴ２−５１）。この第１エリア配管工事が終了した後は第２エリアの足場組立が完了しているということを条件にして第２エリア配管工事を行う（ＳＴ２−５２）。そして第１エリアにおいて、配管耐圧試験（ＳＴ２−６１）を行う。この配管耐圧試験は、実施例１で説明した試験と同じである。第２エリアにおいて、第２エリア配管工事（ＳＴ２−５２）が完了した後は、配管耐圧試験（ＳＴ２−６２）を行う。  
このように水圧試験は、配管工事が終了した系統から順次行い、従来のように一括して行うことはない。
【００２８】
そして、各エリアとも配管耐圧試験（ＳＴ２−６１、ＳＴ２−６２）が終了した後は、各配管エリアそれぞれで電気・計装試験（ＳＴ２−７１、ＳＴ２−７２）、保温工事および塗装工事（ＳＴ２−８１、ＳＴ２−８２）を行い、塗装工事完了後は足場解体を行う（ＳＴ２−９１、ＳＴ１−９２）。
【００２９】
以上述べたように、本実施例によれば、蒸気タービンプラントに使用される各種流体を通すための配管を、タービン配管水圧試験範囲に基づいて複数のエリアに分割し、この分割したエリア毎にそれぞれ配管工事、水圧試験および保温・塗装工事を順次施工するようにしたので、上流工程で遅れがでても、下流工程へのしわ寄せを少なくすることができる。この結果、実施例１と同様に作業員および試験員の確保もしくは高負荷という問題を解決することができるので工程短縮を図ることができる。
【図面の簡単な説明】
【００３０】
【図１】本発明の実施例１による蒸気タービンプラントの配管施工法のプロセスマップ。
【図２】本発明の実施例２による蒸気タービンプラントの配管施工法のプロセスマップ。
【図３】従来技術における蒸気タービンプラントの配管施工法のプロセスマップ。
【図１】
2005127183.tif 000003
【図２】
2005127183.tif 000004
【図３】
2005127183.tif 000005